(57)【特許請求の範囲】
【請求項１】
インクミスト及び空気を流入させるミスト吸引口と、外気を流入させる外気吸引口と、が設けられた通気部と、
前記ミスト吸引口及び前記外気吸引口を介して空気の吸引動作を行う吸引部と、
吸引された空気中のインクミストを捕捉する捕捉部と、
を備え、
前記通気部は、
前記ミスト吸引口が設けられ、当該ミスト吸引口から流入したインクミスト及び空気を流す前部通気部と、
前記外気吸引口が設けられ、当該外気吸引口から流入した空気と前記前部通気部を通ったインクミスト及び空気とを前記捕捉部へと流す後部通気部と、
を有し、
前記外気吸引口は、開口面積のうちの閉塞度合を閉塞部材により変更可能であり、当該外気吸引口の前記後部通気部内向き法線ベクトルが、前記前部通気部と前記後部通気部とを繋ぐ連通口の前記後部通気部内向き法線ベクトルと同一方向を向くように設けられている
ことを特徴とするインクミスト収集装置。
【請求項２】
前記外気吸引口及び前記連通口は、前記吸引部と対向する同一面上に設けられていることを特徴とする請求項１記載のインクミスト収集装置。
【請求項３】
前記外気吸引口の開口面積のうちの閉塞度合を変更可能に配置される閉塞部材を備えることを特徴とする請求項１又は２記載のインクミスト収集装置。
【請求項４】
前記閉塞部材を前記外気吸引口に対して相対移動させる閉塞動作部を備えることを特徴とする請求項３記載のインクミスト収集装置。
【請求項５】
前記ミスト吸引口からの流入速度に応じた所定の風速情報と、前記閉塞度合との関係を記憶する対応記憶部を備えることを特徴とする請求項１〜４の何れか一項に記載のインクミスト収集装置。
【請求項６】
インクを吐出する記録ヘッドと、
請求項１〜５の何れか一項に記載のインクミスト収集装置と、
を備えるインクジェット記録装置。
【請求項７】
インクミスト及び空気を流入させるミスト吸引口と、外気を流入させる外気吸引口と、を有する通気部と、前記ミスト吸引口及び前記外気吸引口を介して空気の吸引動作を行う吸引部と、吸引された空気中のインクミストを捕捉する捕捉部と、を備え、前記通気部は、
前記ミスト吸引口が設けられ、当該ミスト吸引口から流入したインクミスト及び空気を流す前部通気部と、前記外気吸引口が設けられ、当該外気吸引口から流入した空気と前記前部通気部を通ったインクミスト及び空気とを前記捕捉部へと流す後部通気部と、を有し、前記外気吸引口は、前記後部通気部内向き法線ベクトルが、前記前部通気部と前記後部通気部とを繋ぐ連通口の前記後部通気部内向き法線ベクトルと同一方向を向くように設けられているインクミスト収集装置の調整方法であって、
前記ミスト吸引口からの空気の流入速度を計測する風速計測ステップ、
前記風速計測ステップで計測された流入速度に応じて、前記外気吸引口の開口面積のうち閉塞部材による閉塞度合を変更する閉塞度合調整ステップ、
を含むことを特徴とするインクミスト収集装置の調整方法。
【発明の詳細な説明】
【技術分野】
【０００１】
この発明は、インクミスト収集装置、インクジェット記録装置、及びインクミスト収集装置の調整方法に関する。
【背景技術】
【０００２】
従来、ノズルから微小なインク液滴を吐出させて記録媒体上に所望のパターンで着弾させることで画像を記録したり膜や構造などを形成したりするインクジェット記録装置がある。このようなインクジェット記録装置では、インク液滴の吐出時に当該インク液滴（主滴）が単独で生じて飛翔するだけではなく、更に微小な液滴が伴われて霧状（ミスト状）になって飛散し、周囲に付着するという問題がある。このようなインクミストが記録媒体に付着すると、記録された画像や膜などの質が低下する。また、インクミストがノズル開口部に付着して固化することでインク液滴の吐出方向や吐出量に悪影響を及ぼしたり、周囲のセンサー面などに付着することでセンサーの読み取り精度が低下したりする。そこで、従来、ノズル近傍でインクミストを吸引し、フィルターで捕捉したり、外部に放出したりする技術がある。
【０００３】
しかしながら、インクミストの吸引力が強過ぎると、インクミストが吸引されるだけではなく飛翔、着弾する主滴に影響が及び、着弾位置がずれたりして画質に悪影響を与える。従って、インクミストの捕捉能力とインク液滴への影響とに応じて適切に吸引力が調整される必要がある。
【０００４】
吸引力の調整は、種々の条件に応じてなされる。特許文献１には、複数の吸引ファンを並列配列し、インクの吐出量に応じて動作させる吸引ファンを選択し、また、吸引ファンの駆動力を変更する技術について開示されている。また、特許文献２には、インクの吐出面（記録ヘッド）と記録媒体（プラテン）との距離やインクの吐出数に応じてファンの風量や風速を切り替える技術について開示されている。
【先行技術文献】
【特許文献】
【０００５】
【特許文献１】特開２００７−２２９９５０号公報
【特許文献２】特開２００６−１９２７０４号公報
【発明の概要】
【発明が解決しようとする課題】
【０００６】
しかしながら、吸引部を安定して動作させるには、当該吸引部の性能に応じた下限以上の動作レベルが必要であり、インクミストの捕捉性能の低下を抑えつつ精度良く適切に吸引力を抑制する調整を行うのが困難であったり、構成の大型化や制御の複雑化に繋がったりするという課題がある。
【０００７】
この発明の目的は、吸引力をより容易且つ適切に抑制する調整を行うことの出来るインクミスト収集装置、インクジェット記録装置及びインクミスト収集装置の調整方法を提供することにある。
【課題を解決するための手段】
【０００８】
上記目的を達成するため、請求項１記載の発明は、
インクミスト及び空気を流入させるミスト吸引口と、外気を流入させる外気吸引口と、
が設けられた通気部と、
前記ミスト吸引口及び前記外気吸引口を介して空気の吸引動作を行う吸引部と、
吸引された空気中のインクミストを捕捉する捕捉部と、
を備え、
前記通気部は、
前記ミスト吸引口が設けられ、当該ミスト吸引口から流入したインクミスト及び空気を流す前部通気部と、
前記外気吸引口が設けられ、当該外気吸引口から流入した空気と前記前部通気部を通ったインクミスト及び空気とを前記捕捉部へと流す後部通気部と、
を有し、
前記外気吸引口は、開口面積のうちの閉塞度合を閉塞部材により変更可能であり、当該外気吸引口の前記後部通気部内向き法線ベクトルが、前記前部通気部と前記後部通気部とを繋ぐ連通口の前記後部通気部内向き法線ベクトルと同一方向を向くように設けられている
ことを特徴とするインクミスト収集装置である。
【００１１】
また、請求項２記載の発明は、請求項１記載のインクミスト収集装置において、
前記外気吸引口及び前記連通口は、前記吸引部と対向する同一面上に設けられていることを特徴としている。
また、請求項３記載の発明は、請求項１又は２記載のインクミスト収集装置において、
前記外気吸引口の開口面積のうちの閉塞度合を変更可能に配置される閉塞部材を備えることを特徴としている。
【００１２】
また、請求項４記載の発明は、請求項３記載のインクミスト収集装置において、
前記閉塞部材を前記外気吸引口に対して相対移動させる閉塞動作部を備えることを特徴としている。
【００１３】
また、請求項５記載の発明は、請求項１〜４の何れか一項に記載のインクミスト収集装置において、
前記ミスト吸引口からの流入速度に応じた所定の風速情報と、前記閉塞度合との関係を記憶する対応記憶部を備えることを特徴としている。
【００１４】
また、請求項６記載の発明は、
インクを吐出する記録ヘッドと、
請求項１〜５の何れか一項に記載のインクミスト収集装置と、
を備えるインクジェット記録装置である。
【００１５】
また、請求項７記載の発明は、
インクミスト及び空気を流入させるミスト吸引口と、外気を流入させる外気吸引口と、を有する通気部と、前記ミスト吸引口及び前記外気吸引口を介して空気の吸引動作を行う吸引部と、吸引された空気中のインクミストを捕捉する捕捉部と、を備え、前記通気部は、前記ミスト吸引口が設けられ、当該ミスト吸引口から流入したインクミスト及び空気を流す前部通気部と、前記外気吸引口が設けられ、当該外気吸引口から流入した空気と前記前部通気部を通ったインクミスト及び空気とを前記捕捉部へと流す後部通気部と、を有し、前記外気吸引口は、前記後部通気部内向き法線ベクトルが、前記前部通気部と前記後部通気部とを繋ぐ連通口の前記後部通気部内向き法線ベクトルと同一方向を向くように設けられているインクミスト収集装置の調整方法であって、
前記ミスト吸引口からの空気の流入速度を計測する風速計測ステップ、
前記風速計測ステップで計測された流入速度に応じて、前記外気吸引口の開口面積のうち閉塞部材による閉塞度合を変更する閉塞度合調整ステップ、
を含むことを特徴とするインクミスト収集装置の調整方法である。
【発明の効果】
【００１６】
本発明に従うと、インクミスト収集装置において、吸引力をより容易且つ適切に抑制する調整を行うことが出来るという効果がある。
【図面の簡単な説明】
【００１７】
【図１】第１実施形態のインクジェット記録装置の構成を側面から見た模式図である。
【図２】ヘッドユニットのインク吐出面及び第１中間ミスト収集部の吸引面を示す底面図である。
【図３】第１中間ミスト収集部の断面図である。
【図４】図３の断面線Ｂ−Ｂにおける第１中間ミスト収集部の断面図である。
【図５】外気吸引口の開閉について説明する図である。
【図６】第１実施形態のインクジェット記録装置の機能構成を示すブロック図である。
【図７】第１実施形態のインクジェット記録装置における吸引力調整処理の処理手順を示すフローチャートである。
【図８】第２実施形態のインクジェット記録装置における第１中間ミスト収集部の断面図である。
【図９】第２実施形態のインクジェット記録装置の機能構成を示すブロック図である。
【図１０】第２実施形態のインクジェット記録装置で実行される吸引力調整処理の制御手順を示すフローチャートである。
【発明を実施するための形態】
【００１８】
以下、本発明の実施の形態を図面に基づいて説明する。
［第１実施形態］
先ず、本発明のインクミスト収集装置を備えるインクジェット記録装置の第１実施形態について説明する。
図１は、第１実施形態のインクジェット記録装置１００の構成を側面から見た模式図である。
【００１９】
インクジェット記録装置１００は、媒体供給部１０と、画像形成部２０と、媒体排出部３０と、制御部４０（図６参照）などを備えている。このインクジェット記録装置１００では、制御部４０による制御に基づいて、媒体供給部１０に格納された記録媒体Ｐが画像形成部２０に搬送され、画像が記録された後に媒体排出部３０に排出される。
【００２０】
媒体供給部１０は、給紙トレー１１と供給搬送部１２などを有する。
給紙トレー１１は、記録媒体Ｐを一又は複数載置可能に設けられた板状部材である。給紙トレー１１は、載置された記録媒体Ｐの量に応じて上下動し、記録媒体Ｐのうち一番上のものが供給搬送部１２による搬送開始位置に保持される。
記録媒体Ｐとしては、種々の厚さの印刷用紙に加えて、セル、フィルムや布帛など、画像形成ドラム２１の外周面上に湾曲して担持され得る種々のものが用いられる。
供給搬送部１２は、複数（例えば、２本）のローラー１２１、１２２と、内側面でローラー１２１、１２２により支持された輪状のベルト１２３と、給紙トレー１１上に載置された記録媒体Ｐのうち一番上のものをベルト１２３に受け渡す図示略の供給部と、を有する。供給搬送部１２は、ローラー１２１、１２２の回転によるベルト１２３の周回移動に従って供給部によりベルト１２３上に受け渡された記録媒体Ｐを搬送して画像形成部２０へ送る。
【００２１】
画像形成部２０は、画像形成ドラム２１と、受け渡しユニット２２と、ヘッドユニット２３と、インクミスト収集装置としてのミスト収集部２４と、照射部２５と、デリバリー部２６などを備える。
【００２２】
画像形成ドラム２１は、円筒状の外周形状を有し、当該外周面上に記録媒体Ｐを担持して、その回転動作に応じた搬送経路で記録媒体Ｐを搬送する。また、画像形成ドラム２１には、外周面を加熱することで記録媒体Ｐを加熱するための媒体ヒーター２１１（図６参照）が設けられている。
【００２３】
受け渡しユニット２２は、供給搬送部１２から受け渡された記録媒体Ｐを画像形成ドラム２１に受け渡す。受け渡しユニット２２は、媒体供給部１０の供給搬送部１２と画像形成ドラム２１との間の位置に設けられている。受け渡しユニット２２は、供給搬送部１２により送られてきた記録媒体Ｐの一端を把持する爪部２２１と、爪部２２１に把持された記録媒体Ｐを誘導する円筒状の受け渡しドラム２２２などを有する。爪部２２１により供給搬送部１２から取得された記録媒体Ｐは、受け渡しドラム２２２に送られると回転する受け渡しドラム２２２の外周面に沿って移動し、そのまま画像形成ドラム２１の外周面に誘導されて受け渡される。
【００２４】
ヘッドユニット２３は、記録媒体Ｐが担持される画像形成ドラム２１の回転に応じ、記録媒体Ｐと対向するノズル面に設けられた複数のノズル開口部から当該記録媒体Ｐの各所にインクの液滴を吐出していくことで画像を記録する。本実施形態のインクジェット記録装置１００では、ヘッドユニット２３は、画像形成ドラム２１の外周面から予め設定された距離だけ離隔されて、画像形成ドラム２１上における記録媒体Ｐの搬送方向について互いに異なる位置に所定の間隔で４つ配置されている。４つのヘッドユニット２３は、ＣＭＹＫ４色のインクをそれぞれ出力する。これらのインクとしては、所定の温度（例えば、６０℃）以上になると軟化する熱軟化性、且つ照射された紫外光（ＵＶ光）と反応して硬化定着するＵＶ硬化型のインクが用いられる。このようなインクとしては、特には限られないが、所定の温度以上に加熱されることでゾル化する公知の各種ゲル状インクが利用される。ヘッドユニット２３には、当該インクを加熱してゾル状態を維持させるためのインクヒーター２３５（図６参照）が設けられている。
ヘッドユニット２３の各々は、ここでは、画像形成ドラム２１の回転軸方向である幅方向に移動されることなくシングルパス方式で画像形成ドラム２１の回転との組み合わせにより記録媒体Ｐ上の画像記録可能幅に亘って画像を記録可能なラインヘッドを有する。
【００２５】
ミスト収集部２４は、ヘッドユニット２３からインク液滴が吐出された際に生じて浮遊する微小なミストを吸引して捕捉する。ミスト収集部２４は、ここでは、４つ設けられ、そのうちの２つは、ヘッドユニット２３のうち搬送方向上流側の２つに対し、それらの搬送方向下流側に取り付けられた第１中間ミスト収集部２４１であり、１つは、搬送方向について最も下流側にあるヘッドユニット２３に対し、その搬送方向上流側に取り付けられた第２中間ミスト収集部２４２であり、残りの１つは、ヘッドユニット２３と照射部２５との間に独立して設けられる最終ミスト収集部２４３である（以下、第１中間ミスト収集部２４１、第２中間ミスト収集部２４２及び最終ミスト収集部２４３の一部又は全部をまとめてミスト収集部２４１〜２４３などとも記す）。
【００２６】
これらのうち、ミスト収集部２４１、２４２は、それぞれ搬送方向上流側に隣り合うヘッドユニット２３で生じたミストを可能な範囲で捕捉する。最終ミスト収集部２４３は、搬送方向に最下流側のヘッドユニット２３で生じたミストに加えて、他の全てのヘッドユニット２３で生じたミストのうちミスト収集部２４１、２４２で捕捉されずに搬送方向に流れたミストを全て捕捉回収する。このため、本実施形態のインクジェット記録装置１００におけるミスト収集部２４１、２４２は、直近のヘッドユニット２３から吐出されるインクの着弾位置に悪影響を与えないために吸引力（流入速度）を適切に抑制する必要がある。一方、最終ミスト収集部２４３は、ヘッドユニット２３からの距離が、ミスト収集部２４１、２４２とこれらの搬送方向上流側にそれぞれ隣り合うヘッドユニット２３との距離よりも広くとられ、ミスト収集部２４１、２４２よりも吸引力を高く定められて動作する。
【００２７】
照射部２５は、所定のエネルギー線、ここでは、電磁波である紫外線を照射して、ヘッドユニット２３から記録媒体Ｐ上に吐出されたインクを硬化させる。照射部２５は、例えば、紫外線を発する発光ダイオード（ＬＥＤ）を有し、当該ＬＥＤに電圧を印加して電流を流すことで発光させて紫外線を照射する。照射部２５は、画像形成ドラム２１の外周面の近傍であって、画像形成ドラム２１の回転により搬送される記録媒体Ｐ上にヘッドユニット２３からインクの吐出がなされた後、記録媒体Ｐがデリバリー部２６により媒体排出部に引き渡される前に当該記録媒体Ｐ上に紫外線が照射可能に設けられている。
【００２８】
なお、照射部２５において紫外線を発する構成は、ＬＥＤに限られない。照射部２５は、例えば、水銀ランプを有していても良い。また、インクが紫外線以外のエネルギー線を受けて硬化する性質を有する場合には、上述の紫外線を発する構成の代わりに、当該インクを硬化させる波長のエネルギー線を発する周知の光源が設けられる。
【００２９】
デリバリー部２６は、インクが吐出、硬化された記録媒体Ｐを画像形成ドラム２１から媒体排出部３０に搬送する。デリバリー部２６は、複数（例えば、２本）のローラー２６１、２６２と、内側面でローラー２６１、２６２に支持された輪状のベルト２６３と、円筒状の受け渡しローラー２６４などを有する。デリバリー部２６は、受け渡しローラー２６４により画像形成ドラム２１上の記録媒体Ｐをベルト２６３上に誘導し、受け渡された記録媒体Ｐをローラー２６１、２６２の回転に伴い周回移動するベルト２６３と共に移動させることで搬送して媒体排出部３０に送り出す。
【００３０】
媒体排出部３０は、画像形成部２０から送り出された画像記録後の記録媒体Ｐをユーザーにより取り出されるまで格納する。媒体排出部３０は、デリバリー部２６により搬送された記録媒体Ｐが載置される板状の排紙トレー３１などを有する。
【００３１】
制御部４０は、インクジェット記録装置１００の全体動作を統括制御する。制御部４０の機能動作については、後に詳述する。
【００３２】
図２は、ヘッドユニット２３のインク吐出面及び第１中間ミスト収集部２４１の吸引面を示す底面図である。なお、第２中間ミスト収集部２４２の構造は、この第１中間ミスト収集部２４１と搬送方向に垂直な面に対して対称な構造であり、以下では各構成要素について同一の符号を用いることとして説明を省略する。
【００３３】
このヘッドユニット２３は、２個の記録ヘッド２３１、２３２がペアとなり、当該ペアが複数千鳥配置されることで、幅方向に記録媒体Ｐの幅に亘って切れ目なくインクの吐出が可能となっている。また、複数の記録ヘッド２３１、２３２は、それぞれ、搬送方向に異なる３箇所にそれぞれ複数個ずつのノズル開口部が配置され、これらのノズル開口部は、各々幅方向に異なる位置になるようにずらして設けられている。
【００３４】
第１中間ミスト収集部２４１は、底面（吸引面）に複数の孔部からなる吸引口２４１１（ミスト吸引口）がヘッドユニット２３の間に位置するように各々配置されている。即ち、吸引口２４１１は、吸引対象のインクミストを生じるヘッドユニット２３（記録ヘッド２３１、２３２）の搬送方向下流側に設けられる。
【００３５】
第１中間ミスト収集部２４１は、ヘッドユニット２３（画像形成ドラム２１）よりも幅方向に長く形成されている。第１中間ミスト収集部２４１は、ヘッドユニット２３よりも幅方向に長い部分でヘッドユニット２３の幅方向に隣接する位置まで搬送方向に広いＬ字形状となっており、側面２４１ｓの一部がヘッドユニット２３と対向する。搬送方向に広くなっている端部には、吸引ファン２４１２が設けられている。吸引口２４１１は、特には限られないが、例えば、複数の円形の孔部が所定の間隔で設けられたものである。なお、ここでは、各孔部のサイズ及び間隔を均一に表現しているが、各孔部での吸引力が均一になるように適宜サイズや間隔を異ならせても良い。具体的には、吸引ファン２４１２に近い下流側の孔部ほどサイズを小さくし、孔部間の間隔を広くすることで、複数の孔部間で吸引力を揃えることが出来る。
【００３６】
図３は、第１中間ミスト収集部２４１の断面図である。図３（ａ）は、図２の断面線Ａ１−Ａ１で切断された断面を示し、図３（ｂ）は、図２の断面線Ａ２−Ａ２で切断された断面を示す。
【００３７】
図３（ａ）に示すように、第１中間ミスト収集部２４１の吸引面において記録媒体Ｐと対向する範囲に設けられた吸引口２４１１の吸引面と反対側には、第１フィルター２４１３が設けられ、当該第１フィルター２４１３を介してダクト２４１４（通気部）の内部に連通している。ダクト２４１４は、これら吸引口２４１１及び第１フィルター２４１３が設けられたダクト前部２４１４ａ（前部通気部）と、吸引ファン２４１２（吸引部）及び第２フィルター２４１６（捕捉部）が設けられたダクト後部２４１４ｂ（後部通気部）とに区分けされ、ダクト前部２４１４ａにおいて吸引口２４１１から流入した空気及びインクミストは、連通口２４１４ｃを通ってダクト後部２４１４ｂに流入する。
【００３８】
吸引ファン２４１２は、通常の回転式のものであって、回転動作に伴って空気とともにインクミストを吸引口２４１１から吸い込む吸引動作を行う。吸い込まれた空気及びインクミストは、一部のインクミストが第１フィルター２４１３で捕捉されながらダクト前部２４１４ａの内部に流れ込む。ダクト前部２４１４ａに進入したインクミストは、更にダクト後部２４１４ｂで第２フィルター２４１６により捕捉されて、空気のみが外部に排出される。吸引ファン２４１２は、図示略の電力供給部から所定の電圧が供給されて回転動作する。回転速度は、単一に設定されていても良いし、複数段階で可変に設定されていても良い。回転速度が可変の場合には、回転速度の変更は、例えば、制御部４０の制御処理などにより電力供給部からの電力供給がＰＷＭ（Pulse Width Modulation）でパルス幅の変更により行われる。
【００３９】
ダクト後部２４１４ｂは、ダクト前部２４１４ａよりも搬送方向及び距離方向（搬送面からの高さ方向）に長く（高く）なっている。図３（ｂ）に示すように、このうち、ヘッドユニット２３の幅方向側面に回りこんで対向する側面２４１ｓには、当該ヘッドユニット２３の側面と対向する部分やヘッドユニット２３よりも距離方向に高い位置に外気吸引部２４１５が設けられている。外気吸引部２４１５には、側面２４１ｓを貫通する複数の外気吸引口２４１５ｈが設けられており、その一部が固定部材２４１５ｃにより固定された閉塞部材２４１５ａにより封鎖され、残りが開放されている。開放されている外気吸引口２４１５ｈからは、吸引ファン２４１２の回転動作に伴って外気が流入して吸引ファン２４１２へ流れる。
【００４０】
閉塞部材２４１５ａとしては、空気を通さず、吸引ファン２４１２の吸引動作に応じて無視出来ない伸縮変形（ダクト後部２４１４ｂの容積が変化したり、閉塞状態が保たれなくなったり、破壊されたりなど）が生じない材質であれば特に限定されないが、ヘッドユニット２３と側面２４１ｓとの間に設置可能な材質がコスト、加工のし易さや耐久性などに基づいて選択される。例えば、閉塞部材２４１５ａには、ダクト２４１４と同一の材質の板状部材が用いられても良いし、或いは、粘着テープなどで封鎖されても良い。
【００４１】
図４は、図３の断面線Ｂ−Ｂにおける第１中間ミスト収集部２４１の断面図である。
この断面図では、第１中間ミスト収集部２４１のうち距離方向に短い部分の切断部端面と、第１中間ミスト収集部２４１のうち距離方向に長い部分の側面２４１ｓとが表されている。
【００４２】
側面２４１ｓには、上述のように、外気吸引部２４１５が設けられている。外気吸引部２４１５では、複数の外気吸引口２４１５ｈが二次元配列されて設けられている。閉塞部材２４１５ａは、搬送方向に延在して複数枚が距離方向に異なる位置（高さ）に設けられており、搬送方向に複数個配列された各段の外気吸引口２４１５ｈを各々閉塞するのに用いられる。閉塞部材２４１５ａの搬送方向（長手方向）両端は、外気吸引口２４１５ｈを閉塞する中央部分よりも距離方向に長く形成されており、距離方向に延在するガイド穴２４１５ｂを貫通して設けられた固定部材２４１５ｃにより側面２４１ｓに対して固定される。固定部材２４１５ｃは、例えば、ネジやボルトであり、側面２４１ｓに設けられた図示略のネジ穴やナットなどに対して螺合されることで、閉塞部材２４１５ａを固定する。
【００４３】
閉塞部材２４１５ａは、固定部材２４１５ｃを緩めた状態でガイド穴２４１５ｂに沿って上下されることで、各段の外気吸引口２４１５ｈが所望の割合だけ封鎖（閉塞）される。ここでは、最上段の閉塞部材２４１５ａがガイド穴２４１５ｂに沿って高い位置に固定されて対応する最上段の外気吸引口２４１５ｈを閉塞している一方、上から二段目以下の各段の閉塞部材２４１５ａは、ガイド穴２４１５ｂに沿って低い位置に固定されており、その他の外気吸引口２４１５ｈが開放されている。
【００４４】
図５は、外気吸引口２４１５ｈの開閉について説明する図である。
【００４５】
図５（ａ）に示すように、固定部材２４１５ｃ（ネジ）に対して閉塞部材２４１５ａをガイド穴２４１５ｂに沿って上方に持ち上げて固定する、即ち、固定部材２４１５ｃがガイド穴２４１５ｂにおいて一番下に位置する状態で当該閉塞部材２４１５ａが固定されることで、外気吸引口２４１５ｈが完全に閉塞される。
全ての外気吸引口２４１５ｈが完全に閉塞された状態では、吸引ファン２４１２の動作に応じた量の空気が吸引口２４１１からのみ進入する。
【００４６】
図５（ｂ）に示すように、固定部材２４１５ｃがガイド穴２４１５ｂの中間付近に位置する状態で当該閉塞部材２４１５ａが固定されることで、外気吸引口２４１５ｈは、当該外気吸引口２４１５ｈの面積の総和である開口面積のうち、半分程度が開放されて残りの半分程度が閉塞される。この状況では、開放された面積と吸引口２４１１の開口面積の比に第１フィルター２４１３の圧力損失を考慮した分量の外気が外気吸引口２４１５ｈから流入する。吸引ファン２４１２の吸引量が固定された状況では、この外気吸引口２４１５ｈから流入した外気の量に応じて吸引口２４１１からの吸引量、即ち、空気の流入速度が減少することになる。
【００４７】
図５（ｃ）に示すように、閉塞部材２４１５ａを固定部材２４１５ｃに対してガイド穴２４１５ｂに沿って下方に移動させ、固定部材２４１５ｃがガイド穴２４１５ｂの上端に位置する状態で当該閉塞部材２４１５ａが固定されることで、外気吸引口２４１５ｈは、完全に開放される。上述のように、外気吸引口２４１５ｈの開放面積が増加するほど（閉塞度合が低下するほど）、吸引口２４１１から流入する空気の割合、即ち、量が減少するので、外気吸引口２４１５ｈが完全に開放されることで、吸引口２４１１からの空気の吸引量（流入速度）が最小になる。
【００４８】
これら外気吸引口２４１５ｈは、ヘッドユニット２３で吐出されるインク液滴の飛翔に影響を与えない位置、即ち、当該インク液滴の吐出に伴って生じるインクミストが流れるヘッドユニット２３の吐出面直近以外の位置範囲で適宜定められる。この外気吸引口２４１５ｈの位置としては、特に、当該外気吸引口２４１５ｈから吸引された空気の流れにより吸引口２４１１から吸引された空気及びインクミストの流れが大きく乱されない位置にあることが望ましい。即ち、吸引口２４１１近傍で渦や乱流などが生じて吸引口２４１１からの吸引が妨げないように、吸引口２４１１の全ての孔部から進入した空気の流れに対して下流側で外気吸引口２４１５ｈから流入した空気が合流するのが好ましい。また、外気吸引口２４１５ｈから流入する空気の流れが吸引口２４１１から流れる空気により妨げられない位置であることが好ましい。即ち、外気吸引口２４１５ｈ近傍を吸引口２４１１から流れる空気の流れが通過せず、また、外気吸引口２４１５ｈから流入する空気の流れと、吸引口２４１１から流れる空気の流れとが衝突しないことが好ましい。
【００４９】
ここでは、図３に示したように、吸引口２４１１からダクト２４１４（ダクト前部２４１４ａ）を通って第２フィルター２４１６へ流れる空気の流れと外気吸引口２４１５ｈから流入して第２フィルター２４１６へ流れる空気の流れが略平行となるように、連通口２４１４ｃと外気吸引口２４１５ｈとが同一面内に配置され（連通口２４１４ｃを含む面のダクト後部２４１４ｂの内側方向への法線ベクトル（後部通気部内向き法線ベクトル）と、外気吸引口２４１５ｈを含む面のダクト後部２４１４ｂの内側方向への法線ベクトルとが同一方向を向くように外気吸引口２４１５ｈが配置される）、且つこれら連通口２４１４ｃと外気吸引口２４１５ｈとが設けられた面が第２フィルター２４１６及び吸引ファン２４１２の設置面と対向することで、ダクト２４１４内で乱流や渦などの大きな空気の流れの乱れが生じるのを効果的に抑えることが出来る。
なお、これらの条件を満たす位置範囲には、通常、吸引面が含まれず、また、インクジェット記録装置１００としてミスト収集部２４が取り付けられた状態で、搬送面やヘッドユニット２３のノズル面から離隔して及び／又は間にミスト収集部２４やヘッドユニット２３自体を挟んでいる。従って、吸入されるミスト収集部２４の外気には、インクミストが混入し難い（無視出来ないインクミストが混入すると想定されない）が、微量のインクミストが混入したとしても、第２フィルター２４１６により捕捉される。
【００５０】
図６は、本実施形態のインクジェット記録装置１００の機能構成を示すブロック図である。
【００５１】
インクジェット記録装置１００は、制御部４０と、搬送駆動部５１と、ヘッド駆動部５３１及び記録ヘッド２３１、２３２と、インクヒーター駆動部５３５及びインクヒーター２３５と、媒体ヒーター駆動部５１１及び媒体ヒーター２１１と、照射駆動部５５及び照射部２５と、吸引ファン駆動部５４１及び吸引ファン２４１２と、通信部６１と、操作表示部６２と、報知部６３などを備える。
なお、ヘッドユニット２３の各構成は、４つのヘッドユニットに対して各々設けられ、ミスト収集部２４の各構成は、第１中間ミスト収集部、第２中間ミスト収集部及び最終ミスト収集部に対して各々設けられている。
【００５２】
搬送駆動部５１は、制御部４０の制御に基づき、記録媒体Ｐを媒体供給部１０から画像形成部２０に送り、更に媒体排出部３０へ移動させる動作を行う。搬送駆動部５１は、適切なタイミングで給紙トレー１１から供給搬送部１２に送り出し、画像形成ドラム２１を回転モーターなどにより適切な速度で回転させながら爪部２２１を動作させて供給搬送部１２から受け渡しユニット２２を介して当該画像形成ドラム２１の外周面に載置させることで、記録媒体Ｐをヘッドユニット２３のノズル面と対向させながら搬送する。そして、搬送駆動部５１は、適切なタイミングで記録媒体Ｐを画像形成ドラム２１の外周面上から離別させて、デリバリー部２６を介して排紙トレー３１に送り出す。
これら搬送駆動部５１により駆動される供給搬送部１２、画像形成ドラム２１、受け渡しユニット２２、デリバリー部２６などにより搬送部が構成される。
【００５３】
ヘッド駆動部５３１及び記録ヘッド２３１、２３２と、インクヒーター駆動部５３５及びインクヒーター２３５とは、ヘッドユニット２３に設けられる。
記録ヘッド２３１、２３２は、ノズルと、ノズルからインクを吐出させる圧力が印加される圧力室を含むインク流路と、当該圧力室においてインクに圧力を印加する動作を行う負荷（例えば、圧電素子、電熱線や抵抗素子など）などを有し、外部に設けられたインク貯留部から供給されたインクを吐出する。ヘッド駆動部５３１は、記録ヘッド２３１、２３２の負荷がインクに対して所定のパターンで圧力変動を生じさせるための駆動信号を当該負荷に対して出力して、必要な電圧を印加し、また電流を流す。
【００５４】
インクヒーター駆動部５３５は、上述のインクヒーター２３５を動作させる駆動信号（電流）を出力する。インクヒーター駆動部５３５は、制御部４０の制御に基づいて駆動信号をオンオフさせることが出来る。或いは、インクヒーター２３５に流す電流値を変化させることが可能であっても良い。また、図示略の温度計を備えてインクの温度又は当該インクの温度に応じた温度変化をする記録ヘッド２３１、２３２の部位の温度を計測し、当該計測結果に基づいて制御部４０がインクヒーター駆動部５３５の動作制御を行うことが出来る。
【００５５】
媒体ヒーター２１１は、画像形成ドラム２１の外周面を適切に保つ加熱動作を行う。媒体ヒーター２１１は、画像形成ドラム２１の内部に設けられてその外周面を内側から加熱しても良いし、画像形成ドラム２１の外周面に対向して配置されて赤外線照射などにより搬送される記録媒体Ｐの表面を加熱するものであっても良い。
【００５６】
照射駆動部５５は、制御部４０の制御に基づいて、記録媒体Ｐへのインク吐出動作時に対応して照射部２５のＵＶ光照射動作を行わせる。
【００５７】
吸引ファン駆動部５４１は、制御部４０の制御に基づいてミスト収集部２４１〜２４３の各吸引ファン２４１２をそれぞれ動作させる。吸引ファン駆動部５４１は、複数の吸引ファン２４１２の動作可否を一括して切り替え可能であっても良い。吸引ファン駆動部５４１による吸引ファン２４１２の駆動期間は、通常、ヘッドユニット２３からのインク吐出動作の開始及び終了のタイミングに基づいて定められるが、吸引ファン駆動部５４１は、ユーザーによる操作表示部６２への入力操作に応じた明示的な動作命令などに従ってヘッドユニット２３の動作とは独立に吸引ファン２４１２を動作させることも出来る。更に、吸引ファン駆動部５４１は、インクジェット記録装置１００の制御部４０による制御とは別個に直接試験用の外部マイコンなどを介して駆動信号を入力させることで吸引ファン２４１２を動作させることも可能である。
【００５８】
通信部６１は、外部の電子機器、例えば、プリンターサーバーや、パーソナルコンピューター（ＰＣ）などの各種端末装置と所定の通信プロトコルでデータの送受信を行うためのインターフェイスであり、例えば、ＮＩＣ（Network Interface Card）を備える。接続方法は、ＬＡＮ（Local Area Network）を介した有線又は無線による通信であっても良いし、或いは、通信部６１は、ＵＳＢ（Universal Serial Bus）などによる外部機器との直接接続を行う接続端子とドライバーとを備えていても良い。
【００５９】
操作表示部６２は、制御部４０の制御動作に基づいて表示画面に各種メニューやステータスなどの表示を行わせ、また、ユーザーによる入力操作を受け付けて操作信号を制御部４０に出力する。表示画面としては、例えば、液晶画面（Liquid Crystal Display）が用いられるがこれに限られない。また、当該表示画面に重ねてタッチセンサーを設けることで表示画面をタッチパネルとして用いることが出来る。また、操作表示部６２は、電力供給状態を示すＬＥＤランプや、主電源のオンオフを切り替えたりリセット動作を行わせたりするための押しボタンスイッチなどを備えていても良い。
【００６０】
報知部６３は、インクジェット記録装置１００のユーザーに対して所定の報知動作を行う。報知動作には、例えば、ビープ音を発生したり、ランプを点灯又は点滅させたりする動作が含まれ、ビープ音を発生させる圧電素子や点灯又は点滅させる発光ダイオード（ＬＥＤ）などを備える。
【００６１】
制御部４０は、ＣＰＵ４１（Central Processing Unit）、ＲＡＭ４２（Random Access Memory）及び対応記憶部としての記憶部４３などを備える。
ＣＰＵ４１は、インクジェット記録装置１００の動作に係る各種演算処理を行う。ＲＡＭ４２は、ＣＰＵ４１に作業用のメモリー空間を提供し、一時データを記憶する。
【００６２】
記憶部４３は、ＣＰＵ４１による制御動作に係る制御プログラムを記憶保持し、制御プログラムは、必要に応じてＣＰＵ４１により読み出され、実行される。また、記憶部４３には、通信部６１を介して外部から取得された出力対象の画像データや、当該画像データを処理して本実施形態のインクジェット記録装置１００で画像の記録に用いられるフォーマットに変換されたデータ（ラスターデータ）が一時記憶される。出力対象の画像データは、適切なタイミングでヘッド駆動部５３１に出力され、各ノズルからのインク吐出有無を定める。この記憶部４３には、高速なデータ読み書きの可能なＤＲＡＭや、電源オフ時に記憶データを継続保持可能な不揮発性メモリー（フラッシュメモリーなど）との組み合わせが好ましく用いられる。また、インクジェット記録装置１００の全体動作の制御プログラムや初期設定データは、マスクＲＯＭに記憶されていても良い。
【００６３】
記憶部４３には、開口面積対応テーブル４３１が記憶されている。この開口面積対応テーブル４３１は、工場検査時や出荷時などに予め記憶され、所定の位置、例えば、所定の吸引口２４１１の中央位置における風速の計測値（風速情報）に応じて外気吸引口２４１５ｈの閉塞されるべき割合（閉塞度合）を示すデータを示す。また、開口面積対応テーブル４３１には、１つの開口部の開放当たりの流入速度の低下の割合といった風速情報と閉塞度合との相対関係が記憶されても良い。
【００６４】
これらの各部は、バス６９を介して互いに接続され、データのやりとりが可能となっている。
【００６５】
次に、本実施形態のインクジェット記録装置１００におけるミスト収集部２４の調整方法について説明する。
本実施形態のインクジェット記録装置１００では、初期設定時、及びヘッドユニット２３やミスト収集部２４の交換時などに、インクジェット記録装置１００の管理者や設置・メンテナンス業者など（以下、調整者と記す）によりミスト収集部２４による吸引力の調整が好ましく行われる。この処理は、ミスト収集部２４をインクジェット記録装置１００に取り付けない状態で、ミスト収集部２４が吸引ファン２４１２を動作させる電源系のみに接続されて行われ得る。
【００６６】
図７は、吸引力調整処理の処理手順を示すフローチャートである。
【００６７】
先ず、外気吸引口２４１５ｈにおける閉塞部材２４１５ａによる閉塞の割合を初期設定にあわせる（ステップＳ１１）。それから、吸引ファン２４１２を動作させて、所定の吸引口２４１１の中央での風速を計測する（ステップＳ１２；風速計測ステップ）。上述のように、吸引ファン２４１２は、操作表示部６２への入力操作などに応じて、或いは試験用マイコンなどに接続されて所定の駆動信号が入力されることで、強制的に動作させることが出来る。風速計には、従来周知のものが適宜利用される。また、風速計測値は、吸引口２４１１の単一の孔部におけるものに限られず、複数の孔部のデータが加算平均されたり、最大値や最小値が選択されたりしても良い。
【００６８】
それから、記憶部４３の開口面積対応テーブル４３１を参照して適切な閉塞範囲を取得する（ステップＳ１３）。開口面積対応テーブル４３１のデータは、調整者の操作表示部６２への入力操作に応じて制御部４０が必要な範囲を当該操作表示部６２に表示させることが出来る。或いは、外部の電子機器と通信部６１を介して通信接続させ、当該電子機器で開口面積対応テーブル４３１を読み出して表示させることとしても良い。
【００６９】
次いで、閉塞部材２４１５ａの位置を調整する（ステップＳ１４；閉塞度合調整ステップ）。上述のように、調整は、調整者がドライバーなどを用いて又はつまみを指で回して固定部材２４１５ｃを緩め、閉塞部材２４１５ａを手動で移動させた後に固定部材２４１５ｃを締め直すことで行われる。
【００７０】
その後、調整者は、再度吸引ファン２４１２を動作させて、所定の吸引口２４１１の中央での風速を計測し（ステップＳ１５）、計測値が予め設定された適正範囲内にあるか否かを判別する（ステップＳ１６）。適正範囲に係るデータは、開口面積対応テーブル４３１に併せて記憶保持されていても良いし、別途用意されても良い。適正範囲内にあると判別された場合には（ステップＳ１６で“ＹＥＳ”）、吸引力調整処理を終了する。適正範囲内にないと判別された場合には（ステップＳ１６で“ＮＯ”）、適正範囲から外れた方向に応じて閉塞部材２４１５ａによる閉塞範囲を微調整し（ステップＳ１７）、処理をステップＳ１５に戻す。
【００７１】
以上のように、本実施形態のインクジェット記録装置１００が備えるミスト収集部２４は、インクミスト及び空気を流入させる吸引口２４１１と、インクミストを流入させることを意図しない配置で設けられて当該ミスト収集部２４の外気を流入させる外気吸引口２４１５ｈと、が設けられたダクト２４１４と、吸引口２４１１及び外気吸引口２４１５ｈを介して空気の吸引動作を行う吸引ファン２４１２と、吸引された空気中のインクミストを捕捉する第２フィルター２４１６と、外気吸引口２４１５ｈの開口面積のうちの閉塞度合を変更可能に配置される閉塞部材２４１５ａと、を備える。
これにより、吸引ファン２４１２による所定の吸引力（回転速度）での吸引時における吸引口２４１１からの吸引力を、外気吸引口２４１５ｈの開口面積に応じて低減させることが出来る。従って、吸引ファン２４１２の精密な制御を行わなくともより容易且つ適切な吸引力の調整、特に吸引力の抑制を図ることができる。特に、ミスト収集部２４１、２４２のように、ヘッドユニット２３の直近に配置されてその距離の変更調整が難しいような場合に、吸引力の調整が容易且つ効果的に行われる。
また、ミスト収集部２４の外面で調整を行うことが出来るので、インクジェット記録装置１００の組立出荷前の検査などでの調整作業が容易になる。
【００７２】
また、インクミストの吸引口２４１１の開口面積や開口数を変化させないので、特に、本実施形態のミスト収集部２４１、２４２などのように、吸引口２４１１の各孔部の位置から吸引ファン２４１２までの距離が各々異なる場合などに、各孔部における吸引力を均一化するために調整動作の手間が複雑になるのを防ぐことが出来る。
【００７３】
また、ダクト２４１４は、吸引口２４１１が設けられ、当該吸引口２４１１から流入したインクミスト及び空気を流すダクト前部２４１４ａと、外気吸引口２４１５ｈが設けられ、当該外気吸引口２４１５ｈから流入した空気とダクト前部４２１４ａを通ったインクミスト及び空気とを第２フィルター２４１６へと流すダクト後部２４１４ｂと、を有する。
このように、吸引口２４１１の各孔部から流入したインクミストと空気の流れがダクト前部２４１４ａでまとめられてからダクト後部２４１４ｂで外気と合流させることで、ダクト前部２４１４ａにおける空気の流れの乱れを抑制し、吸引口２４１１からの吸引をスムーズに所望の流入量で行わせることが出来る。
【００７４】
また、外気吸引口２４１５ｈは、当該外気吸引口２４１５ｈのダクト後部２４１４ｂ内向き法線ベクトルが、ダクト前部２４１４ａとダクト後部２４１４ｂとを繋ぐ連通口２４１４ｃのダクト後部２４１４ｂ内向き法線ベクトルと同一方向を向くように設けられている。これにより、ダクト前部２４１４ａからのインクミストを含む空気の流れと、外気吸引口２４１５ｈからの外気の流れとの角度差を平行に近づけて吸引ファン２４１２に送ることが出来るので、両者の流れの間に乱流や渦などの乱れが生じるのを抑制し、スムーズにインクミストを第２フィルター２４１６で捕捉させることが出来る。
【００７５】
また、外気吸引口２４１５ｈ及び連通口２４１４ｃは、吸引ファン２４１２と対向する同一面上に設けられているので、外気吸引口２４１５ｈ及び連通口２４１４ｃからそれぞれダクト後部２４１４ｂの内部に流入した空気及びインクミストがほぼまっすぐに吸引ファン２４１２及び第２フィルター２４１６に向かうことになり、流入した空気、特にインクミストが長時間ダクト後部２４１４ｂ内部に滞留したり外気吸引口２４１５ｈから流出したりするのを防ぐことが出来る。
【００７６】
また、吸引口２４１１からの空気の流入速度に応じた所定の風速情報と、外気吸引口２４１５ｈの閉塞度合との関係を開口面積対応テーブル４３１として記憶する記憶部４３を備える。従って、この開口面積対応テーブル４３１を参照することで一度吸引口２４１１からの空気の流入速度（この場合、インクミストが混入している必要はない）を計測することで、適切な閉塞度合を容易に知得することが出来るので、閉塞度合の調整時間を短縮することが出来る。
【００７７】
また、本実施形態のインクジェット記録装置１００は、インクを吐出する記録ヘッド２３１、２３２と、上述のミスト収集部２４と、を備える。
従って、記録ヘッド２３１、２３２からのインク吐出により適切な画質で画像を記録することを可能としつつ、インク吐出に伴って生じるミストを適切に捕捉することが出来る。
【００７８】
また、本実施形態のインクジェット記録装置１００におけるミスト収集部２４の調整方法は、吸引口２４１１からの空気の流入速度を計測する風速計測ステップ、風速計測ステップで計測された流入速度に応じて、外気吸引口２４１５ｈの開口面積のうち閉塞部材２４１５ａによる閉塞度合を変更する閉塞度合調整ステップ、を含む。
従って、吸引ファン２４１２の精密な制御を行わなくともより容易に適切な吸引力の調整、特に吸引力の抑制を図ることが出来る。特に、ミスト収集部２４１、２４２のように、ヘッドユニット２３の直近に配置されてその距離の変更調整が難しいような場合に、吸引力の調整を容易且つ効果的に行うことが出来る。
【００７９】
［第２実施形態］
次に、本発明のインクジェット記録装置の第２実施形態について説明する。
図８は、本実施形態のインクジェット記録装置１００ａにおけるミスト収集部の断面図である。図８（ａ）は、図４に示した断面図と同一の断面における図であり、図８（ｂ）は、図３（ｂ）に示した断面図と同一の断面における図である。
【００８０】
このインクジェット記録装置１００ａは、閉塞部材２４１５ａのガイド穴２４１５ｂ及び固定部材２４１５ｃの代わりに、閉塞部材２４１５ａを上下させる電動モーター２４１５ｄ及び当該電動モーター２４１５ｄの動作に係る構成が設けられている点を除き同一であり、同一の符号を付して説明を省略する。
【００８１】
電動モーター２４１５ｄ（閉塞動作部）は、各閉塞部材２４１５ａの両端に対してそれぞれ設けられる。電動モーター２４１５ｄとしては、特には限られないが、例えば、歯車２４１５ｆを回転させるステッピングモーターや、ベルトを移動させる回転モーターなど、各種周知の構成から選択される。ここでは、閉塞部材２４１５ａの両端にそれぞれ固定されたラックレール２４１５ｅと噛合された歯車２４１５ｆをステッピングモーターにより回転させることで、閉塞部材２４１５ａが所望の量だけ上下される例を示している。なお、閉塞部材２４１５ａが外気吸引口２４１５ｈを確実に塞ぐことが出来るように、閉塞部材２４１５ａを側面２４１ｓの方向に付勢する構成や、側面２４１ｓに沿って閉塞部材２４１５ａの両端を案内するガイドレールなどを備えていても良い。このように、インクジェット記録装置１００ａでは、電動モーター２４１５ｄが閉塞部材２４１５ａを上下させて外気吸引口２４１５ｈに対して相対移動させることで、外気吸引口２４１５ｈが開放又は閉塞（封鎖）される。
【００８２】
図９は、本実施形態のインクジェット記録装置１００ａの機能構成を示すブロック図である。
この第２実施形態のインクジェット記録装置１００ａの機能構成は、ミスト収集部２４ａに上述の電動モーター２４１５ｄが追加された点を除き同一であり、同一の符号を付して説明を省略する。電動モーター２４１５ｄは、制御部４０の制御に応じて定められた量の動作を行い、当該電動モーター２４１５ｄに対応する閉塞部材２４１５ａを上下させる。
なお、電動モーター２４１５ｄは、インクジェット記録装置１００ａの制御部４０に制御される代わりにミスト収集部２４ａが備えるマイコンによって動作制御がなされても良い。或いは、動作自体は電動でなされるものの、移動量の制御はユーザーによって手動でなされる構成であっても良い。
【００８３】
図１０は、本実施形態のインクジェット記録装置１００ａで実行される吸引力調整処理の制御部４０による制御手順を示すフローチャートである。この吸引力調整処理は、例えば、ユーザー（調整者）により計測された風速値の入力及び当該設定値に基づく処理の開始命令が操作表示部６２から受け付けられた場合に開始される。
【００８４】
吸引力調整処理が開始されると、制御部４０は、入力された所定位置での風速値を取得する（ステップＳ１２ａ）。制御部４０は、開口面積対応テーブル４３１を参照して、取得された風速値に基づき、閉塞度合に係る設定値を取得する（ステップＳ１３）。制御部４０は、電動モーター２４１５ｄに動作信号を出力して、閉塞部材２４１５ａを設定値に応じた位置に移動させる（ステップＳ１４ａ）。そして、制御部４０は、吸引力調整処理を終了する。
【００８５】
以上のように、第２実施形態のインクジェット記録装置１００ａが備えるミスト収集部２４ａは、閉塞部材２４１５ａを外気吸引口２４１５ｈに対して相対移動させる電動モーター２４１５ｄを備える。従って、調整者が手作業で調整する必要がないので、より容易且つ適切に吸引ファン２４１２による吸引口２４１１からの吸引力を抑制することが出来る。
【００８６】
なお、本発明は、上記実施の形態に限られるものではなく、様々な変更が可能である。
例えば、上記実施の形態では、左右方向（水平方向）に延在する閉塞部材２４１５ａを上下方向（鉛直方向）に移動させることとしたが、上下方向に延在する閉塞部材を左右方向に移動させることとしても良い。
【００８７】
また、上記実施の形態では、外気吸引口２４１５ｈを直接ダクト後部２４１４ｂの側面２４１ｓに設けたが、外気吸引口２４１５ｈとダクト後部２４１４ｂとを他のチューブなどを介して接続し、外気吸引口２４１５ｈをミスト収集部２４やインクジェット記録装置１００（のヘッドユニット２３）から更に離隔させても良い。但し、チューブが長くなると圧力損失が大きくなって効果的な量の外気が流入し難くなるので、適度な長さに留められるのが望ましい。また、外気吸引口２４１５ｈがダクト前部２４１４ａ内に設けられても良いし、ダクト後部２４１４ｂの他の面に設けられても良い。
【００８８】
また、上記実施の形態では、複数の小さな外気吸引口２４１５ｈが二次元配列される例を示したが、閉塞部材２４１５ａの形状及び配置方向に対応して延在する外気吸引口が一次元配列されても良いし、全体として一つの大きな外気吸引口が設けられていても良い。
また、個々の外気吸引口２４１５ｈに対して個別に閉塞部材２４１５ａが設けられていても良い。
【００８９】
また、上記実施の形態では、一度調整した閉塞部材２４１５ａはそのまま固定されることとしたが、電動モーター２４１５ｄを用いて制御部４０により動作制御される場合などには、ミスト収集部２４の動作時のみ必要な閉塞度合で外気吸引口２４１５ｈを開放し、ミスト収集部２４の停止時には、常に外気吸引口２４１５ｈを完全に閉鎖させることとしても良い。
【００９０】
また、第２実施形態のインクジェット記録装置１００ａにおける吸引力調整処理は、初期出荷時やメンテナンス時などに限られず、頻繁な実行が容易に可能である。例えば、制御部４０が入力された記録対象の画像データを読み込んで画像データの解析を行い、電動モーターに信号を出力して各インクの吐出量に応じた吸引量（流入速度）の調整を行うことが出来る。或いは、設定された出力画像の画質に応じて許容されるインク着弾位置のずれ量に対応した吸引量（流入速度）の調整が行われても良い。
【００９１】
また、上記実施の形態では、ＵＶ硬化型のインクに係るインクミストを収集するものとしたが、ＵＶ光以外に反応して硬化又は増粘するインクや、乾燥して水分が蒸発することで定着固化するインクなど、他の各種インクであっても良い。
【００９２】
また、吸引ファン２４１２の数は、単一に限られず、複数個が並列されるものであっても良い。この場合でも個々の吸引ファン２４１２の吸引力を各々バランス良く微調整する代わりに当初のバランスの取れた設定を維持したまま外気吸引口２４１５ｈの閉塞度合を変化させることで、容易且つ精度良く一括調整を行うことが出来る。
【００９３】
また、上記実施の形態では、吸引ファン２４１２により空気及びインクミストを吸引したが、ポンプなどで吸引するものであっても良い。この場合、本発明により、第２フィルター２４１６を通過したインクミストがポンプに悪影響を与えるのをより効果的に防ぐことが出来る。
【００９４】
また、上記実施形態では、開口面積対応テーブル４３１を制御部４０の記憶部４３に保持させたが、ミスト収集部２４内部に別個に記憶部を設けて当該ミスト収集部２４とセットで開口面積対応テーブル４３１が配布されても良い。また、この配布は、ミスト収集部２４に添付された可搬型記憶媒体を介して行われても良い。
【００９５】
また、上記実施の形態では、ラインヘッドに対して搬送方向下流側にミスト収集部２４を各々配置することとしたが、ラインヘッドに限られず、記録ヘッド２３１、２３２を記録媒体Ｐに対して走査させながらインクの吐出を行うスキャン型の記録ヘッドに対して設けられるミスト収集部であっても良い。この場合、スキャン方向の両側にミスト収集部が設けられても良いし、スキャン方向に垂直な方向（記録ヘッドの脇側）にミスト収集部が設けられても良い。また、ミスト収集部２４は、スキャンされる記録ヘッドとともに移動するものであっても良いし、スキャン幅の両端に固定されていても良い。また、ヘッドユニット２３に各々対応して個別に設けられなくても良いし、反対に、一のヘッドユニット２３に対して小さなミスト収集部が複数配列されて設けられていても良い。
【００９６】
また、記録媒体Ｐが画像形成ドラム２１によって搬送されるものだけではなく、無端状ベルトや各種ローラーなどにより搬送される各種インクジェット記録装置に対して本発明を適用可能である。
【００９７】
また、上記実施の形態では、吸引口２４１１として円形の孔部が複数配列された場合を例に挙げて説明したが、これに限られない。インクミストにより目が詰まらない範囲で細かいメッシュやより大きな格子などが設けられていても良い。
また、吸引口２４１１は、画像形成ドラム２１の外周面（載置された記録媒体Ｐ）と略平行に対向する面に設けられたものに限られない。ミスト収集部２４は、吸引口２４１１が記録媒体Ｐの表面に対して傾いていたり、記録ヘッド２３１（ヘッドユニット２３）に面した搬送方向上流側側面の下端付近などに吸引口２４１１が設けられていたり、或いは、吸引口２４１１が平面上にではなく、凹部内や突起部などに設けられていたりしても良い。
【００９８】
また、吸引ファン２４１２は、吸引口２４１１や第２フィルター２４１６などと一体的に設けられるものに限られず、チューブなどを介して画像形成ドラム２１の近傍などに配置されても良い。この場合、ダクト２４１４の距離が伸びるのに従って吸引力の大きな吸引ファン２４１２が必要になり、また、吸引ファン２４１２と第２フィルター２４１６との位置関係に応じて適切なフィルターが設計、選択される。
【００９９】
また、上記実施の形態では、吸引口２４１１、外気吸引口２４１５ｈ、及び吸引ファン２４１２の位置関係について説明したが、ダクト２４１４の経路形状などを適宜設計することでも適切な空気及びインクミストの流れが確保され得る。
【０１００】
また、上記実施形態では、第２フィルター２４１６やフィルター２４３６を交換可能としたが、吸引ファン２４１２、２４３２の寿命など、他の構成と比較して十分な時間利用可能である、即ち、吸引力に影響するような目詰まりが生じない場合には、第２フィルター２４１６やフィルター２４３６のみでの交換を可能とせず、ミスト収集部２４が一体的にのみ交換される形態であっても良い。同様に、第１フィルター２４１３も交換可能であっても無くても良い。また、第１フィルター２４１３が設けられていなくても良い。
【０１０１】
また、上記実施の形態では、吸引力の抑制がミスト収集部２４１、２４２よりも厳密に要求されない最終ミスト収集部２４３については、外気吸引部２４１５を備えなくても良いこととしたが、最終ミスト収集部２４３や他の形態のミスト収集部に外気吸引部２４１５が設けられた場合であっても、同様に、吸引力の調整をより容易且つ適切に行うことが可能になる。
その他、上記実施の形態で示した構造や配置などの具体的な細部は、本発明の趣旨を逸脱しない範囲において適宜変更可能である。
【符号の説明】
【０１０２】
１０   媒体供給部
１１   給紙トレー
１２   供給搬送部
１２１、１２２       ローラー
１２３ ベルト
２０   画像形成部
２１   画像形成ドラム
２１１ 媒体ヒーター
２２   受け渡しユニット
２２１ 爪部
２２２ 受け渡しドラム
２３   ヘッドユニット
２３１ 記録ヘッド
２３５ インクヒーター
２４、２４ａ  ミスト収集部
２４１ 第１中間ミスト収集部
２４１ｓ      側面
２４１１      吸引口
２４１２      吸引ファン
２４１３      第１フィルター
２４１４      ダクト
２４１５      外気吸引部
２４１５ａ    閉塞部材
２４１５ｂ    ガイド穴
２４１５ｃ    固定部材
２４１５ｄ    電動モーター
２４１５ｅ    ラックレール
２４１５ｆ    歯車
２４１５ｈ    外気吸引口
２４１６      第２フィルター
２４２ 第２中間ミスト収集部
２４３ 最終ミスト収集部
２５   照射部
２６   デリバリー部
２６１、２６２       ローラー
２６３ ベルト
２６４ 受け渡しローラー
３０   媒体排出部
３１   排紙トレー
４０   制御部
４１   ＣＰＵ
４２   ＲＡＭ
４３   記憶部
４３１ 開口面積対応テーブル
５１   搬送駆動部
５１１ 媒体ヒーター駆動部
５３１ ヘッド駆動部
５３５ インクヒーター駆動部
５４１ 吸引ファン駆動部
５５   照射駆動部
６１   通信部
６２   操作表示部
６３   報知部
６９   バス
１００、１００ａ     インクジェット記録装置
Ｐ     記録媒体
【図１】
0006597246.tif 000002
【図２】
0006597246.tif 000003
【図３】
0006597246.tif 000004
【図４】
0006597246.tif 000005
【図５】
0006597246.tif 000006
【図６】
0006597246.tif 000007
【図７】
0006597246.tif 000008
【図８】
0006597246.tif 000009
【図９】
0006597246.tif 000010
【図１０】
0006597246.tif 000011